Podtech/llm-jp-corpus-v4-ja_patent huggingface dataset:
【手続補正書】
【提出日】平成31年4月22日(2019.4.22)
【手続補正１】
【補正対象書類名】特許請求の範囲
【補正対象項目名】全文
【補正方法】変更
【補正の内容】
【特許請求の範囲】
【請求項１】
防水性基部と、前記基部に取り付けられた防水性カバーシートと、それらの間に配置された増殖区画とを含む、本体であって、前記増殖区画が、周辺部と、前記増殖区画への液体のアクセスを提供する開口部とを有し、前記周辺部の一部分が、防水性シールによって画定され、前記部分が、前記周辺部の５０％超を含む、本体と、
前記増殖区画内で前記基部に接着された、乾燥した冷水可溶性ゲル化剤と、
前記増殖区画内に配置された、乾燥した第１酸素除去試薬と、を備える、装置。
【請求項２】
前記第１酸素除去試薬、前記第２酸素除去試薬、前記還元試薬、前記栄養素、前記指示薬、及び前記成分のうちのいずれか２つ以上の組み合わせからなる群から選択される第１乾燥成分が、前記基部に接着されている、請求項１に記載の装置。
【請求項３】
前記基部は、前記増殖区画の少なくとも一部分において、その上に配置された第１接着剤層を含み、前記第１乾燥成分が、前記増殖区画内で、前記第１接着剤層に接着されている、請求項２に記載の装置。
【請求項４】
前記第１酸素除去試薬、前記第２酸素除去試薬、前記還元試薬、前記栄養素、前記指示薬、及び前記成分のうちのいずれか２つ以上の組み合わせからなる群から選択される第２乾燥成分が、前記カバーシートに接着されている、請求項２に記載の装置。
【請求項５】
前記カバーシートが、前記増殖区画の少なくとも一部分において、その上に配置された、第３接着剤層を備え、
前記第２乾燥成分が、前記増殖区画内で、前記第３接着剤層に接着されている、請求項４に記載の装置。
【手続補正書】
【提出日】平成31年3月19日(2019.3.19)
【手続補正１】
【補正対象書類名】特許請求の範囲
【補正対象項目名】全文
【補正方法】変更
【補正の内容】
【特許請求の範囲】
【請求項１】
生物学的試料中の特定の核酸分子の発現レベルを測定する方法であって、該方法は、
（i）前記生物学的試料から単離／取得されたDNA又はcDNAを含むバッチAを準備する工程と、
（ii）工程（i）で準備されたバッチAの3つ以上のアリコートを準備して、該3つ以上のアリコートのそれぞれを用いて独立したポリメラーゼ連鎖反応（PCR）を実施することで、前記特定の核酸分子を増幅させ、それにより増幅された特定の核酸分子を含む3つ以上のバッチBを準備する工程と、
（iii）等量の前記3つ以上のバッチBを混合することによりバッチCを準備して、該バッチCにおいてPCRベースのアプローチによって前記特定の核酸分子のレベルを測定する工程と、
を含み、ここで、工程（iii）で測定されるレベルが、前記生物学的試料中の特定の核酸分子の発現レベルに相当する、方法。
【請求項２】
生物学的試料中の特定の核酸分子の発現レベルを測定する方法であって、該方法は、
（i）前記生物学的試料から単離／取得されたDNA又はcDNAを含むバッチAを準備する工程と、
（ii）工程（i）で準備されたバッチAの3つ以上のアリコートを準備して、該3つ以上のアリコートのそれぞれを用いて独立したポリメラーゼ連鎖反応（PCR）を実施することで、前記特定の核酸分子を増幅させ、それにより増幅された特定の核酸分子を含む3つ以上のバッチBを準備する工程と、
（iii）前記3つ以上のバッチBのそれぞれにおいてPCRベースのアプローチによって前記特定の核酸分子のレベルを測定する工程と、
を含み、ここで、工程（iii）で測定されるレベルの平均値が、前記生物学的試料中の特定の核酸分子の発現レベルに相当する、方法。
【請求項３】
前記生物学的試料中の特定の核酸分子の濃度は、1×10-11 M以下、又は1×10-12 M以下、又は1×10-13 M以下、又は1×10-14 M以下、又は1×10-15 M以下、又は1×10-16 M以下である、請求項1又は2に記載の方法。
【請求項４】
前記生物学的試料中の特定の核酸分子の濃度は、1×10-11 Mから1×10-17 Mの間、又は1×10-12 Mから1×10-17 Mの間、又は1×10-13 Mから1×10-17 Mの間、又は1×10-14 Mから1×10-17 Mの間、又は1×10-15 Mから1×10-17 Mの間、又は1×10-16 Mから1×10-17 Mの間である、請求項3に記載の方法。
【請求項５】
前記特定の核酸分子は、特定のmiRNA、特定の無細胞循環DNA、特定の無細胞循環腫瘍DNA、特定のmRNA、特定のsiRNA及び特定のsnRNAからなる群から選択される、請求項1〜4のいずれか一項に記載の方法。
【請求項６】
前記特定の核酸分子は、特定のmiRNAである、請求項5に記載の方法。
【請求項７】
前記特定のmiRNA分子は、miR-371a-3p、miR-93-5p、miR-372、miR-373、miR-367及びmiR-20a-5pからなる群から選択される、請求項6に記載の方法。
【請求項８】
前記生物学的試料は、体液、組織、細胞、細胞溶解物及び細胞培養上清からなる群から選択される、請求項1〜7のいずれか一項に記載の方法。
【請求項９】
前記体液は、血清、血漿、精漿、水瘤液、精液瘤液、全血、尿、羊水、滲出液、痰、唾液及び脳脊髄液からなる群から選択される、請求項8に記載の方法。
【請求項１０】
前記組織は、天然組織、急速凍結された組織及びホルマリン固定パラフィン包埋（FFPE）された組織からなる群から選択される、請求項8に記載の方法。
【請求項１１】
前記組織は、腫瘍組織である、請求項8又は10に記載の方法。
【請求項１２】
バッチAは、前記生物学的試料から単離／取得されたcDNAを含む、請求項1〜11のいずれか一項に記載の方法。
【請求項１３】
工程（i）は、
（ia）前記生物学的試料からRNAを単離する工程と、
（ib）工程（ia）で単離された前記RNAをcDNAへと変換し、それにより該cDNAを含むバッチAを準備する工程と、
を含む、請求項12に記載の方法。
【請求項１４】
工程（ii）において、バッチAの3つのアリコートを準備する、請求項1〜13のいずれか一項に記載の方法。
【請求項１５】
前記PCRベースのアプローチは、定量的リアルタイムPCR（qRT-PCR）又はデジタルPCR（dPCR）である、請求項1〜14のいずれか一項に記載の方法。
【請求項１６】
被験体において疾病若しくは疾患を検出する方法又は被験体において疾病若しくは疾患の程度／進行度を測定する方法であって、該方法は、
（a）前記被験体から生物学的試料を取得する工程と、
（b）前記生物学的試料中の特定の核酸分子の発現レベルを、請求項1〜15のいずれか一項に記載の方法で測定する工程と、
を含み、ここで、前記生物学的試料中の特定の核酸分子の発現レベルが、前記被験体における疾病又は疾患の有無及び／又は程度／進行度の指標である、方法。
【手続補正書】
【提出日】平成31年4月2日(2019.4.2)
【手続補正１】
【補正対象書類名】特許請求の範囲
【補正対象項目名】全文
【補正方法】変更
【補正の内容】
【特許請求の範囲】
【請求項１】
幼児の活動および体位を検出するように構成された複数のセンサを含んだ着用可能幼児監視装置と、
前記幼児の前記活動および体位に関連する測定データを送信するように構成された伝送インターフェースと、
前記幼児の学習に対する受容性を判断するように構成されたプロセッサを含み、測定データを受信するように構成された監視ハブと
を備えるシステムであって、
各学習材料は前記幼児の学習に対する受容性に基づいてディスプレイインターフェースを通じて養護者へ提供される、システム。
【請求項２】
前記プロセッサは、笑みと凝視の継続時間に基づいて前記幼児の学習に対する受容性を判断する、請求項１に記載のシステム。
【請求項３】
前記プロセッサは、笑みと凝視の強度に基づいて前記幼児の学習に対する受容性を判断する、請求項１に記載のシステム。
【請求項４】
前記プロセッサは、前記データ測定値を処理して前記幼児に関連する発達年齢に基づいて学習コンテンツをカスタマイズする、請求項１に記載のシステム。
【請求項５】
前記監視ハブは学習コンテンツおよび各スケジュールを格納するように構成された永続記憶装置をさらに備える、請求項１に記載のシステム。
【請求項６】
前記監視ハブは各幼児モデルおよび各表を格納するように構成された永続記憶装置をさらに備える、請求項１に記載のシステム。
【請求項７】
前記監視ハブは前記監視ハブとプラットフォームとの間の通信を推進するように構成されたプラットフォームインターフェースをさらに備え、前記プラットフォームは複数の幼児監視装置からのデータを集約する、請求項１に記載のシステム。
【請求項８】
外部装置をさらに備える、請求項１に記載のシステム。
【請求項９】
前記外部装置はカメラである、請求項８に記載のシステム。
【請求項１０】
前記外部装置は音声センサである、請求項９に記載のシステム。
【請求項１１】
前記外部装置は映写機である、請求項９に記載のシステム。
【請求項１２】
前記外部装置はタブレット装置である、請求項９に記載のシステム。
【請求項１３】
前記遠隔幼児監視ハブは、モバイル機器である請求項１に記載のシステム。
【請求項１４】
前記複数のセンサは三軸加速度計、電気皮膚反応（ＧＳＲ）検出器、ジャイロスコープおよび体温センサを含む、請求項１に記載のシステム。
【請求項１５】
前記伝送インターフェースはブルートゥース・ロー・エナジー（ＢＬＥ）インターフェースである、請求項１に記載のシステム。
【請求項１６】
幼児の活動および体位を検出するように構成された複数のセンサを含んだ着用可能幼児監視装置と、
前記幼児の前記活動および体位に関連する測定データを送信するように構成された伝送インターフェースと、
充電インターフェースと
を備える装置であって、
監視ハブは前記着用可能幼児監視装置から測定データを受信するように構成されて、前記幼児の学習に対する受容性を判断するように構成されたプロセッサを含んでおり、各学習材料は前記幼児の学習に対する受容性に基づいてディスプレイインターフェースを通じて養護者へ提供される、装置。
【請求項１７】
前記プロセッサは、笑みと凝視の継続時間に基づいて前記幼児の学習に対する受容性を判断する、請求項１６に記載の装置。
【請求項１８】
前記プロセッサは、笑みと凝視の強度に基づいて前記幼児の学習に対する受容性を判断する、請求項１６に記載の装置。
【請求項１９】
前記プロセッサは、前記データ測定値を処理して前記幼児に関連する発達年齢に基づいて学習コンテンツをカスタマイズする、請求項１６に記載の装置。
【請求項２０】
前記監視ハブは学習コンテンツおよび各スケジュールを格納するように構成された永続記憶装置をさらに備える、請求項１６に記載の装置。
【手続補正書】
【提出日】平成31年4月2日(2019.4.2)
【手続補正１】
【補正対象書類名】特許請求の範囲
【補正対象項目名】全文
【補正方法】変更
【補正の内容】
【特許請求の範囲】
【請求項１】
複数のセンサに関連付けられた幼児監視装置であって、幼児に学習コンテンツの第１モジュールを提示した際に、前記複数のセンサは前記幼児の測定データを取得するように構成された幼児監視装置と、
前記測定データを前記複数のセンサから受信するように構成された監視ハブであって、前記監視ハブは、前記学習コンテンツの前記第１モジュールが前記幼児に対して適切であったかどうかを判断するために、遠隔プラットフォームから取得した発達モデルに関連して前記測定データを分析するように構成され、前記遠隔プラットフォームは、複数の幼児監視装置に関連付けられた複数の監視ハブから情報を受信するように構成された監視ハブと
を備えるシステムであって、
前記監視ハブは、前記測定データの分析に反映されるように、前記学習コンテンツの前記第１モジュールが前記幼児に適切であったかどうかに基づいて前記幼児の発達年齢を判断するようにさらに構成され、
前記監視ハブは、前記幼児の前記発達年齢に合わせてカスタマイズされた学習コンテンツの第２モジュールを提示するようにさらに構成される、システム。
【請求項２】
前記測定データは、幼児の注視度合い及び継続時間を備えている、請求項１に記載のシステム。
【請求項３】
前記測定データは、幼児の体位及び動作を備えている、請求項１に記載のシステム。
【請求項４】
前記測定データは、動き、体温、体位及び電気皮膚反応を含んでいる、請求項１に記載のシステム。
【請求項５】
前記測定データを分析することは、前記測定データを前記幼児に関する観察に処理することと、前記観察を前記発達モデルと比較することとを備え、前記観察は、睡眠、移動度、ストレス、体位、快適さ、健康、警戒又は明瞭度のうちの一つを含み、前記観察が前記幼児にとって健康なレベルにあると検出されると、前記学習コンテンツの前記第２モジュールは、前記学習コンテンツの第１モジュールよりも難しくなるように選択される、請求項１に記載のシステム。
【請求項６】
前記測定データを分析することは、前記測定データを前記幼児に関する推測に処理することと、前記推測を前記発達モデルと比較することとを備え、前記推測は、学習に対する受容性、幼児の幸せ、養護者の存在、環境要因、幼児の安全又は幼児の情動状態のうちの一つを含み、前記推測が前記幼児にとって健康なレベルにあると検出されると、前記学習コンテンツの前記第２モジュールは前記学習コンテンツの前記第１モジュールよりも難しくなるように選択される、請求項１に記載のシステム。
【請求項７】
幼児の測定データと共に、前記幼児に以前に提示された学習コンテンツの第１モジュールを特定することと、
前記学習コンテンツの前記第１モジュールが前記幼児に適切であったかどうかを判断するために、遠隔プラットフォームから得た発達モデルに関連して前記測定データを分析することと、
前記測定データの分析に反映されるように、前記学習コンテンツの前記第１モジュールが前記幼児に適切であったかどうかに基づいて前記幼児の発達年齢を判断することと、
前記幼児の前記発達年齢に合わせてカスタマイズした学習コンテンツの第２モジュールを提示することと
を備える方法であって、
前記測定データは、前記学習コンテンツの前記第１モジュールの提示中に、幼児監視装置に関連した複数のセンサから得られ、
前記遠隔プラットフォームは、複数の幼児監視装置に関連付けられた複数の監視ハブから情報を受信するように構成される、方法。
【請求項８】
前記測定データは、動き、体温、体位及び電気皮膚反応を含んでいる、請求項７に記載の方法。
【請求項９】
前記測定データを分析することは、前記測定データを前記幼児に関する観察に処理することと、前記観察と前記発達モデルとを比較することとを備え、前記観察は、睡眠、移動度、ストレス、体位、快適さ、健康、警戒又は明瞭度のうちの一つを含む、請求項７に記載の方法。
【請求項１０】
好ましくないレベルのストレスが検出された場合、前記学習コンテンツの前記第１モジュールは、前記幼児にとって不適切であると考えられる、請求項９に記載の方法。
【請求項１１】
前記幼児にとって適切なレベルのストレスが検出された場合、前記学習コンテンツの前記第２モジュールは、前記学習コンテンツの前記第１モジュールよりも難しくなるように選択される、請求項９に記載の方法。
【請求項１２】
前記幼児にとって適切なレベルの快適さが検出された場合に、前記学習コンテンツの前記第２モジュールは、前記学習コンテンツの前記第１モジュールよりも難しくなるように選択される、請求項９に記載の方法。
【請求項１３】
前記測定データを分析することは、前記測定データを前記幼児に関する推測に処理することと、前記推測と前記発達モデルとを比較することとを備え、前記推測は、学習に対する受容性、幼児の幸せ、養護者の存在、環境要因、幼児の安全又は幼児の情動状態のうちの一つを含んでいる、請求項７に記載の方法。
【請求項１４】
前記幼児の好ましくない情動状態が検出される場合、前記学習コンテンツの前記第１モジュールは、前記幼児にとって不適切であると考えられる、請求項１３に記載の方法。
【請求項１５】
前記幼児にとって適切なレベルの学習に対する受容性が検出された場合、前記学習コンテンツの前記第２モジュールは、前記学習コンテンツの前記第１モジュールよりも難しくなるように選択される、請求項１３に記載の方法。
【請求項１６】
前記学習コンテンツの前記第２モジュールは、前記幼児と関わりのある養護者への資料又は提案を含んでいる、請求項７に記載の方法。
【手続補正書】
【提出日】令和1年5月20日(2019.5.20)
【手続補正１】
【補正対象書類名】特許請求の範囲
【補正対象項目名】全文
【補正方法】変更
【補正の内容】
【特許請求の範囲】
【請求項１】
装着可能システムであって、前記装着可能システムは、
ユーザによって装着されるように構成されている光学デバイスと、
前記光学デバイスに取り付けられている撮像デバイスと、
レンズに結合され、イメージャ平面に対応するハウジングと
を備え、
前記撮像デバイスは、前記ユーザの眼の虹彩の画像を捕捉するように構成され、前記虹彩は、虹彩平面に対応し、
前記撮像デバイスの前記レンズは、前記イメージャ平面に平行な方向にシフトするように構成されている、装着可能システム。
【請求項２】
前記光学デバイスは、前記ユーザの頭に装着されるように構成されている、請求項１に記載の装着可能システム。
【請求項３】
前記光学デバイスは、一対の眼鏡またはゴーグルを備えている、請求項２に記載の装着可能システム。
【請求項４】
前記光学デバイスは、一対の眼鏡を備え、前記一対の眼鏡は、上側周縁および下側周縁を有するフレームと、ディスプレイとを備えている、請求項３に記載の装着可能システム。
【請求項５】
前記光学デバイスは、接眼鏡を備えている、請求項１に記載の装着可能システム。
【請求項６】
前記接眼鏡は、単眼鏡または双眼鏡を備えている、請求項５に記載の装着可能システム。
【請求項７】
前記接眼鏡は、望遠鏡、顕微鏡、または視認するために使用される複合光学システム内に含まれる、請求項５に記載の装着可能システム。
【請求項８】
前記撮像デバイスは、前記フレームの前記下側周縁に取り付けられている、請求項４に記載の装着可能システム。
【請求項９】
前記撮像デバイスの前記レンズは、約１．０〜約２．５ｍｍに及ぶシフトオフセットを有する、請求項１に記載の装着可能システム。
【請求項１０】
ユーザの眼の虹彩を撮像する方法であって、前記虹彩は、虹彩平面に対応し、前記方法は、
レンズに結合されかつイメージャ平面に対応するハウジングを備えている撮像デバイスを介して、前記撮像デバイスによって捕捉された前記眼の画像を受信することと、
前記撮像デバイスのレンズを前記イメージャ平面に平行な方向にシフトさせることと
を含み、
前記撮像デバイスは、前記ユーザによって装着される装着可能システムの光学デバイスに取り付けられている、方法。
【請求項１１】
前記虹彩の前記捕捉された画像からバイオメトリック情報を取得することと、前記バイオメトリック情報を処理することにより、前記ユーザの識別を検証することとをさらに含む、請求項１０に記載の方法。
【請求項１２】
前記バイオメトリック情報を虹彩コードに変換することをさらに含む、請求項１１に記載の方法。
【請求項１３】
前記撮像デバイスの前記レンズを約１．０〜約２．５ｍｍだけシフトさせることをさらに含む、請求項１０に記載の方法。
【請求項１４】
前記虹彩を撮像することは、前記ユーザの虹彩を部分的に、または完全に撮像することを含む、請求項１０に記載の方法。
【請求項１５】
前記ユーザの一方または両方の虹彩が、部分的に、または完全に撮像される、請求項１０に記載の方法。
【手続補正２】
【補正対象書類名】明細書
【補正対象項目名】００１５
【補正方法】変更
【補正の内容】
【００１５】
虹彩を撮像する方法も、本明細書に説明される。方法は、概して、それに取り付けられている軸外イメージャを有する光学デバイスを提供することと、軸外イメージャを使用して個人の虹彩を撮像することとを含む。虹彩画像は、個人からバイオメトリック情報を取得するために使用され得る。システムに含まれるプロセッサは、虹彩アルゴリズムを使用してバイオメトリック情報を処理し、それを虹彩コードに変換するために使用され得、虹彩コードは、次いで、個人の識別を検証するために使用され得る。
本発明は、例えば、以下を提供する。
（項目１）
虹彩を撮像するためのシステムであって、前記システムは、
光学デバイスと、
前記光学デバイスに取り付けられている軸外イメージャと
を備え、
前記軸外イメージャは、レンズと、カメラ本体とを備えている、システム。
（項目２）
前記光学デバイスは、ヘッドマウントデバイスを備えている、項目１に記載のシステム。
（項目３）
前記ヘッドマウントデバイスは、一対の眼鏡またはゴーグルを備えている、項目２に記載のシステム。
（項目４）
前記ヘッドマウントデバイスは、一対の眼鏡を備え、前記一対の眼鏡は、上側周縁および下側周縁を有するフレームと、透明ディスプレイとを備えている、項目３に記載のシステム。
（項目５）
前記光学デバイスは、接眼鏡を備えている、項目１に記載のシステム。
（項目６）
前記接眼鏡は、単眼鏡または双眼鏡である、項目５に記載のシステム。
（項目７）
前記接眼鏡は、望遠鏡、顕微鏡、または視認するために使用される複合光学システム内に含まれる、項目５に記載のシステム。
（項目８）
前記軸外イメージャは、前記フレームの下側周縁に取り付けられている、項目４に記載のシステム。
（項目９）
前記軸外イメージャのレンズは、約２．０〜約８．５度に及ぶ傾斜を有する、項目１に記載のシステム。
（項目１０）
前記軸外イメージャのレンズは、約１．０〜約２．５ｍｍに及ぶシフトオフセットを有する、項目１に記載のシステム。
（項目１１）
虹彩を撮像する方法であって、前記方法は、
光学デバイスを提供することであって、前記光学デバイスは、それに取り付けられている軸外イメージャを有する、ことと、
前記軸外イメージャを使用して個人の虹彩を撮像することと
を含み、
前記軸外イメージャは、レンズと、カメラ本体とを備えている、方法。
（項目１２）
前記撮像された虹彩からバイオメトリック情報を取得し、前記バイオメトリック情報を処理し、前記個人の識別を検証することをさらに含む、項目１１に記載の方法。
（項目１３）
前記バイオメトリック情報は、虹彩コードに変換される、項目１２に記載の方法。
（項目１４）
前記軸外イメージャのレンズを傾斜させることにより、前記個人の虹彩の平面と平行になるように前記カメラ本体の焦点面を調節することをさらに含む、項目１１に記載の方法。
（項目１５）
前記レンズは、約２．０〜約８．５度傾斜させられる、項目１４に記載の方法。
（項目１６）
前記軸外イメージャの前記レンズを約１．０〜約２．５ｍｍシフトさせることをさらに含む、項目１５に記載の方法。
（項目１７）
前記虹彩を撮像することは、前記個人の虹彩を部分的に、または完全に撮像することを含む、項目１１に記載の方法。
（項目１８）
前記個人の一方または両方の虹彩が、部分的に、または完全に撮像される、項目１１に記載の方法。
【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
マスターコンピュータと、ノードコンピュータのアレイと、を備えており、
前記マスターコンピュータは、複数のノードコンピュータのそれぞれに、前記マスターコンピュータのみが個別の通信チャネルを介して任意のノードコンピュータに直接アクセスするよう、前記個別の通信チャネルによって接続されており、
前記複数のノードコンピュータのそれぞれは、前記マスターコンピュータまたは特定のノードコンピュータによりアクセス可能なメモリセグメントを有し、前記メモリセグメントは、前記マスターコンピュータから前記通信チャネルを介して送信されるコマンドによって前記マスターコンピュータまたは前記特定のノードコンピュータに接続され、他のノードコンピュータからはアクセス不可かつ物理的に分離され、
前記マスターコンピュータまたは前記ノードコンピュータのいずれかによる前記メモリセグメントへの排他的アクセスの選択が、前記マスターコンピュータと前記ノードコンピュータとの間の前記通信チャネルを使用して前記マスターコンピュータによって決定され、
前記複数のノードコンピュータは、前記マスターコンピュータを共通のクライアントとするサーバとして機能し、
前記マスターコンピュータと前記複数のノードコンピュータの両方が、同じエンクロージャを共有する、
階層コンピュータアーキテクチャ。
【請求項２】
前記マスターコンピュータおよび前記複数のノードコンピュータは、自身の電力を前記エンクロージャ内の中央電源から得る、
請求項１の階層コンピュータアーキテクチャ。
【請求項３】
前記マスターコンピュータが、通信独立型データチャネル以外の手段を使用して、コマンドを伝えて前記複数のノードコンピュータからステータスを受信できる、
請求項１の階層コンピュータアーキテクチャ。
【請求項４】
前記複数のノードコンピュータのそれぞれが、前記マスターコンピュータにおける複数のＵＳＢホストポートにインタフェース接続されている、前記ノードコンピュータに存在するＵＳＢデバイスポート、を使用し、
前記マスターコンピュータにおける前記複数のＵＳＢホストポートのそれぞれが、前記ノードコンピュータにアタッチされている物理メモリストアである、前記ノードコンピュータにおけるメモリセグメント、にマッピングされる、
請求項１の階層コンピュータアーキテクチャ。
【請求項５】
前記複数のノードコンピュータの前記ＵＳＢデバイスポートが、１つまたは複数のＵＳＢストレージデバイスおよびＵＳＢ通信チャネルを前記マスターコンピュータに提供するＵＳＢマルチガジェットデバイスとして、前記マスターコンピュータに認識される、
請求項４の階層コンピュータアーキテクチャ。
【請求項６】
前記マスターコンピュータによって認識される、前記複数のノードコンピュータにおける前記マルチガジェットＵＳＢデバイスが、ＵＳＢ  Ｅｔｈｅｒｎｅｔポートを含む、
請求項５の階層コンピュータアーキテクチャ。
【請求項７】
前記マスターコンピュータによって認識される、前記複数のノードコンピュータにおける前記マルチガジェットＵＳＢデバイスが、ＵＳＢ  ＴＴＹポートを含む、
請求項５の階層コンピュータアーキテクチャ。
【請求項８】
前記複数のノードコンピュータは、前記複数のノードコンピュータに存在するＰＣＩｅポートに接続されているＦＰＧＡから得られる通信ポート、を使用し、
前記ＦＰＧＡ通信ポートは、前記マスターコンピュータに対して互換性の通信ポートをさらに提供し、
前記マスターコンピュータにおける前記互換性の通信ポートのそれぞれが、前記マスターコンピュータから、前記複数のノードコンピュータのそれぞれに個別にアタッチされているメモリセグメントへのアクセスを提供する、
請求項１の階層コンピュータアーキテクチャ。
【請求項９】
前記ノードコンピュータのアレイに接続されている前記マスターコンピュータの前記階層コンピュータアーキテクチャを使用して、分散ストレージメモリアーキテクチャが作成され、
前記複数のノードコンピュータのそれぞれが、前記マスターコンピュータによって、個別にアドレッシング可能なストレージデバイスとしてマッピングできる１つまたは複数のストレージデバイス、を有し、
前記１つまたは複数のストレージデバイスの集まりが、前記マスターコンピュータを対象とする、容易にスケーラブルであり構造的にモジュール式である大きな分散ストレージメモリ、を形成する、
請求項１の階層コンピュータアーキテクチャ。
【手続補正書】
【提出日】平成31年3月29日(2019.3.29)
【手続補正１】
【補正対象書類名】特許請求の範囲
【補正対象項目名】全文
【補正方法】変更
【補正の内容】
【特許請求の範囲】
【請求項１】
画像源と、
前記画像源に光学的に結合されたコンバイナ、ミラー、および導波路のうちの少なくとも１つと
を含むニアアイディスプレイアセンブリであって、
前記コンバイナ、前記ミラー、および前記導波路のうちの前記少なくとも１つが、複数のメタ原子を有する単位セルによって少なくとも部分的に画成されたメタ回折格子を有するナノ構造面を含むことを特徴とするニアアイディスプレイアセンブリ。
【請求項２】
前記単位セルが、少なくとも４つのメタ原子を含む、請求項１記載のニアアイディスプレイアセンブリ。
【請求項３】
前記単位セル内の各前記メタ原子の長さ対幅の比率がそれぞれ異なる、請求項１または２記載のニアアイディスプレイアセンブリ。
【請求項４】
前記メタ回折格子が、可視スペクトルにわたって少なくとも２０％の＋１次の絶対回折格子効率を有するよう選択された、請求項１〜３のいずれか一項記載のニアアイディスプレイアセンブリ。
【請求項５】
前記ニアアイディスプレイアセンブリが、第１の反射面を有するコンバイナと、該コンバイナに光学的に結合された第２の反射面を有する二次ミラーとを含み、前記コンバイナと前記二次ミラーとが軸外し折り曲げ配置にあり、前記コンバイナおよび前記二次ミラーのうちの少なくとも一方が、複数のメタ原子を有する単位セルによって少なくとも部分的に画成されたメタ回折格子を有するナノ構造面を含む、請求項１〜４のいずれか一項記載のニアアイディスプレイアセンブリ。
【請求項６】
各前記メタ原子が１ｎｍより大きい寸法を有する、請求項１〜５のいずれか一項記載のニアアイディスプレイアセンブリ。
【請求項７】
各前記メタ原子が１０ｎｍより大きい寸法を有する、請求項６記載のニアアイディスプレイアセンブリ。
【請求項８】
前記ニアアイディスプレイアセンブリがコンバイナを含み、該コンバイナが、該コンバイナを観察者に対して略透明にするサイズおよび間隔を有する多数のアパチャーを含む、請求項１〜７のいずれか一項記載のニアアイディスプレイアセンブリ。
【請求項９】
前記メタ回折格子が、少なくとも６０°の入射角にわたって少なくとも２０％の＋１次の絶対回折格子効率を有するよう選択された、請求項１〜８のいずれか一項記載のニアアイディスプレイアセンブリ。
【請求項１０】
前記ニアアイディスプレイアセンブリが、第１の反射面を有するコンバイナと第２の反射面を有する二次ミラーとを含み、前記コンバイナおよび前記二次ミラーの両方が自由形状面を含む、請求項１〜９のいずれか一項記載のニアアイディスプレイアセンブリ。
【請求項１１】
前記単位セルが約５５５．５ｎｍの長さおよび約２２１ｎｍの幅を有し、第１のメタ原子が約１０５ｎｍの長さおよび約８４．６ｎｍの幅を有し、第２のメタ原子が約１０５ｎｍの長さおよび約４７．７ｎｍの幅を有し、第３のメタ原子が約５０ｎｍの長さおよび約１７７ｎｍの幅を有し、第４のメタ原子が約１０５ｎｍの長さおよび約１５０ｎｍの幅を有する、請求項１〜１０のいずれか一項記載のニアアイディスプレイアセンブリ。
【請求項１２】
前記ナノ構造面が、自由形状面を含む、請求項１記載のニアアイディスプレイアセンブリ。
【請求項１３】
前記ニアアイディスプレイアセンブリが、装着者の頭部に解除可能に係合するフレームと、該フレームに動作可能に接続された第１の反射面を有するコンバイナおよび第２の反射面を有する二次ミラーとを含み、
前記コンバイナおよび前記二次ミラーのうちの少なくとも一方が、複数のメタ原子を有する単位セルによって少なくとも部分的に画成されたメタ回折格子を有するナノ構造面を含み、前記単位セル内の前記メタ原子がそれぞれ異なる長さ対幅の比率を有すると共に、可視光スペクトルの大部分にわたって所与の所定の＋１次の絶対回折格子効率を提供するサイズおよび間隔を有する、請求項１記載のニアアイディスプレイアセンブリ。
【請求項１４】
前記画像源が、光路に沿って前記二次ミラーに光学的に結合されており、前記光路内に、球面、非球面、アナモルフィック、アナモルフィック非球面、または自由形状の光学部品またはレンズのうちの１つである光学要素を更に含む、請求項１３記載のニアアイディスプレイアセンブリ。
【請求項１５】
前記単位セルが４つのメタ原子を有し、各前記メタ原子がそれぞれ異なる長さ対幅の比率を有する、請求項１３または１４記載のニアアイディスプレイアセンブリ。
【請求項１６】
前記コンバイナおよび前記二次ミラーの各々が、複数のメタ原子を有する単位セルによって少なくとも部分的に画成されたメタ回折格子を有するナノ構造面を含み、前記単位セル内の前記メタ原子がそれぞれ異なる長さ対幅の比率を有すると共に、可視光スペクトルの大部分にわたって少なくとも２０％の＋１次の絶対回折格子効率を提供するサイズおよび間隔を有する、請求項１３〜１５のいずれか一項記載のニアアイディスプレイアセンブリ。
【請求項１７】
前記ナノ構造面が、自由形状面とナノ構造面との組合せを備える、請求項１３〜１６のいずれか一項記載のニアアイディスプレイアセンブリ。
【請求項１８】
前記ニアアイディスプレイアセンブリが、フレームと、該フレームに第１の反射面として動作可能に接続されたコンバイナと、前記フレームに第２の反射面として動作可能に接続された二次ミラーとを含み、
前記コンバイナおよび前記二次ミラーの少なくとも１つがナノ構造面を含み、および前記コンバイナおよび前記二次ミラーの少なくとももう１つが自由形状面を含み、前記自由形状面の自由形状構成要素が、前記第１の反射面および前記第２の反射面の傾きおよび芯ずれによって生じる光学収差を補正する、請求項１記載のニアアイディスプレイアセンブリ。
【請求項１９】
前記ナノ構造面が、自由形状面とナノ構造面との組合せを備える、請求項１８記載のニアアイディスプレイアセンブリ。
【請求項２０】
前記ニアアイディスプレイアセンブリが、前記画像源に光学的に結合された導波路を含み、
前記導波路が、複数のメタ原子を有する単位セルによって少なくとも部分的に画成されたメタ回折格子を有するナノ構造面を含む、請求項１記載のニアアイディスプレイアセンブリ。
【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
単一画像化レンズを有する単一カメラを含み、前記単一カメラは、前記単一カメラを使用する同じ視野からの２つ以上のスペクトルチャネルにおいて２つ以上の画像をキャプチャするように構成されている、
多波長ビームスプリッタ光学システム。
【請求項２】
近接場画像化及び遠距離場画像化の両方を行うように構成されている、請求項１に記載のシステム。
【請求項３】
１ｃｍ×１ｃｍ以上の視野での遠距離場画像化を行うように構成されている、請求項１又は２に記載のシステム。
【請求項４】
前記単一カメラで撮影される前記２つ以上の画像は、互いの厳密な複製である、請求項１から３のいずれか一項に記載のシステム。
【請求項５】
前記２つ以上の画像は、試料からの空間解像度が同じであり、画素ごとに同一である、請求項４に記載のシステム。
【請求項６】
画像取得中又は画像取得後に画像の位置合わせ及び／又は位置決めを必要とせずに動作する、請求項１から５のいずれか一項に記載のシステム。
【請求項７】
結果画像がぼやけないように軸外光線の発散を低減することが可能な、それぞれ複数の凸レンズ、ダイクロイックミラー、４５度反射器、及び干渉フィルタが組み込まれたレンズシステムを更に含む、請求項１から６のいずれか一項に記載のシステム。
【請求項８】
固定作動距離と調節可能な視野とを有する、請求項７に記載のシステム。
【請求項９】
前記システムの前記視野は、異なる複数の正方形アパーチャ及び／又は異なる複数の凸レンズを前記システムに組み込むことにより調節される、請求項１から８のいずれか一項に記載のシステム。
【請求項１０】
正方形アパーチャを更に含み、前記正方形アパーチャのｚ軸位置及び向きは、光学的機械的マウント装置を使用して調節される、請求項１から９のいずれか一項に記載のシステム。
【請求項１１】
前記光学的機械的マウント装置は、調節ステップの数を減らすことによって前記ビームスプリッタ光学システムの位置合わせを容易にするように構成されたＵ字形の三要素レンズマウントアセンブリを含む、請求項１０に記載のシステム。
【請求項１２】
リアルタイム画像化を行うように構成されており、画像化手順において位置合わせを必要としない、請求項１から１１のいずれか一項に記載のシステム。
【請求項１３】
前記２つ以上のスペクトルチャネルは、反射率画像化、レーザスペックル画像化、レーザドップラ画像化、近赤外蛍光画像化、及びこれらの任意の組み合わせを含む、請求項１から１２のいずれか一項に記載のシステム。
【請求項１４】
前記単一カメラは、複数の画像を同時にキャプチャすることにより、カメラの同期及び／又はトリガの可能性を下げる、請求項１から１３のいずれか一項に記載のシステム。
【請求項１５】
多波長ビームスプリッタ光学システムにおいて使用されるカメラであって、
単一画像化レンズを含み、前記カメラを使用する同じ視野からの２つ以上のスペクトルチャネルにおいて２つ以上の画像をキャプチャするように構成されている、前記カメラ。
【請求項１６】
前記カメラで撮影される前記２つ以上の画像は、互いの厳密な複製である、請求項１５に記載のカメラ。
【請求項１７】
前記２つ以上の画像は、前記試料からの空間解像度が同じであり、画素ごとに同一である、請求項１６に記載のカメラ。
【請求項１８】
前記２つ以上のスペクトルチャネルは、反射率画像化、レーザスペックル画像化、レーザドップラ画像化、近赤外蛍光画像化、及びこれらの任意の組み合わせを含む、請求項１５から１７のいずれか一項に記載のカメラ。
【請求項１９】
複数の画像を同時にキャプチャすることにより、カメラの同期及び／又はトリガの可能性を下げるように更に構成された、請求項１５から１８のいずれか一項に記載のカメラ。
【請求項２０】
多波長ビームスプリッタ光学システムの動作方法であって、単一画像化レンズを有する単一カメラを使用する同じ視野からの２つ以上のスペクトルチャネルにおいて２つ以上の画像をキャプチャするステップを含む方法。
【手続補正書】
【提出日】平成31年2月21日(2019.2.21)
【手続補正１】
【補正対象書類名】特許請求の範囲
【補正対象項目名】全文
【補正方法】変更
【補正の内容】
【特許請求の範囲】
【請求項１】
照明構成要素と、
前記照明構成要素と光学的に連通している切換可能な拡散体であって、少なくとも第１の状態及び第２の状態を有し、前記第１の状態は、第１のヘイズにより特徴付けられ、前記第２の状態は、前記第１のヘイズとは異なる第２のヘイズにより特徴付けられた、切換可能な拡散体と、
前記照明構成要素と光学的に連通しており、前記切換可能な拡散体と光学的に連通している、低吸収光学構成要素と、を備える光学系であって、
前記低吸収光学構成要素は、互いに反対側にある第１及び第２の外面を含み、前記第１及び第２の外面のうちの少なくとも１つは、光方向転換構造体を含み、
前記切換可能な拡散体が前記第１の状態にあって、前記光学系が光出力を生成するとき、前記光方向転換構造体は、前記光学系の前記光出力の半値全幅（ＦＷＨＭ）を、前記光方向転換構造体を含まないが他の点では同等な光学系のＦＷＨＭと比較して、少なくとも一つの方向において少なくとも５度増大させるように構成された、光学系。
【請求項２】
照明構成要素と、
前記照明構成要素と光学的に連通している切換可能な拡散体であって、少なくとも第１の状態及び第２の状態を有し、前記第１の状態は、第１のヘイズにより特徴付けられ、前記第２の状態は、前記第１のヘイズとは異なる第２のヘイズにより特徴付けられた、切換可能な拡散体と、を備える光学系であって、
前記切換可能な拡散体は、第１の外層と第２の外層との間に配置された活性層を含み、前記第１の外層は、前記活性層の反対側の第１の外面を有し、前記第２の外層は、前記活性層の反対側の第２の外面を有し、前記第２の外層は、前記照明構成要素に面し、前記第１及び第２の外面のうちの少なくとも１つは、光方向転換構造体を含み、
前記切換可能な拡散体が前記第１の状態にあって、前記光学系が光出力を生成するとき、前記光方向転換構造体は、前記光学系の前記光出力の半値全幅（ＦＷＨＭ）を、前記光方向転換構造体を含まないが他の点では同等な光学系のＦＷＨＭと比較して、少なくとも一つの方向において少なくとも５度増大させるように構成された、光学系。
【請求項３】
照明構成要素と、
前記照明構成要素と光学的に連通している切換可能な拡散体であって、少なくとも第１の状態及び第２の状態を有し、前記第１の状態は、第１のヘイズにより特徴付けられ、前記第２の状態は、前記第１のヘイズとは異なる第２のヘイズにより特徴付けられ、
前記切換可能な拡散体は、第１の外層と第２の外層との間に配置された活性層を含み、前記第１の外層は、前記活性層の反対側の第１の外面を有し、前記第２の外層は、前記活性層の反対側の第２の外面を有する、切換可能な拡散体と、
前記照明構成要素と光学的に連通しており、前記切換可能な拡散体と光学的に連通しており、互いに反対側にある第３及び第４の外面を含む低吸収光学構成要素と、を備える光学系であって、
前記第１、第２、第３及び第４の外面のうちの少なくとも１つは、光方向転換構造体を含み、
前記切換可能な拡散体が前記第１の状態にあって、前記光学系が光出力を生成するとき、前記光方向転換構造体は、前記光学系の前記光出力の半値全幅（ＦＷＨＭ）を、前記光方向転換構造体を含まないが他の点では同等な光学系のＦＷＨＭと比較して、少なくとも一つの方向において少なくとも５度増大させるように構成された、光学系。
【請求項４】
前記切換可能な拡散体が前記第１の状態にあるときの前記光学系の前記光出力の平均方向は、前記切換可能な拡散体が前記第１の状態にあるときの前記他の点では同等な光学系の光出力の平均方向と同じである、請求項１〜３のいずれか一項に記載の光学系。
【請求項５】
前記切換可能な拡散体が前記第１の状態にあるときの前記光学系の前記光出力の平均方向は、前記切換可能な拡散体が前記第１の状態にあるときの前記他の点では同等な光学系の光出力の平均方向とは異なる、請求項１〜３のいずれか一項に記載の光学系。
【請求項６】
前記切換可能な拡散体は、前記切換可能な拡散体が前記第１の状態にあるとき、ゼロ度〜約８５度の範囲のすべての入射角で約５パーセント未満のヘイズを有する、請求項１に記載の光学系。
【請求項７】
前記活性層は、前記切換可能な拡散体が前記第１の状態にあるとき、ゼロ度〜約８５度の範囲のすべての入射角で約５パーセント未満のヘイズを有する、請求項２又は３に記載の光学系。
【請求項８】
前記光学系の前記光出力のＦＷＨＭは、前記他の点では同等な光学系のＦＷＨＭと比較して、２つの直交する方向で増大した、請求項１〜３のいずれか一項に記載の光学系。
【請求項９】
前記切換可能な拡散体は、複数の独立してアドレス可能な領域を含む、請求項１〜３のいずれか一項に記載の光学系。
【請求項１０】
請求項１〜３のいずれか一項に記載の１つ以上の光学系と、
前記１つ以上の光学系の前記切換可能な拡散体のうちの１つ以上に拡散体制御信号を供給するように構成されたコントローラと、
１つ以上のセンサと、を備え、
前記コントローラは、前記１つ以上のセンサから１つ以上の信号を受信するように構成された、照明システム。
【手続補正書】
【提出日】令和1年11月8日(2019.11.8)
【手続補正１】
【補正対象書類名】特許請求の範囲
【補正対象項目名】全文
【補正方法】変更
【補正の内容】
【特許請求の範囲】
【請求項１】
サービスシナリオマッチング方法であって：
異なるシナリオに対応するアクセスユーザのユーザ特性及びマッチさせるプロダクトのマッチング特性を取得するステップと；
前記マッチさせるプロダクトの前記マッチング特性に基づいて、各シナリオのユーザ特性マッピング値を計算するステップと；
前記ユーザ特性マッピング値に従って、前記マッチさせるプロダクトのサービスシナリオを選択するステップと；を備える、
サービスシナリオマッチング方法。
【請求項２】
異なるシナリオに対応するアクセスユーザのユーザ特性を取得する前記ステップは、アクセス記録及び／又は登録情報から、異なるシナリオに対応する前記アクセスユーザの前記ユーザ特性を取得するステップを備える、
請求項１に記載のサービスシナリオマッチング方法。
【請求項３】
マッチさせるプロダクトのマッチング特性を取得する前記ステップは、所定の選択に従って、前記マッチさせるプロダクトの前記マッチング特性を決定するステップを備える、
請求項１に記載のサービスシナリオマッチング方法。
【請求項４】
前記マッチさせるプロダクトの前記マッチング特性に基づいて、各シナリオのユーザ特性マッピング値を計算する前記ステップは：
同じ基準に従って、異なるシナリオに対応する前記アクセスユーザの前記ユーザ特性の中で、前記マッチさせるプロダクトの前記マッチング特性に対応する第１のユーザ特性を定量化するステップと；
同じマッピングルールに基づいて、異なるシナリオの前記第１のユーザ特性の前記ユーザ特性マッピング値を得るステップと；を備える、
請求項１に記載のサービスシナリオマッチング方法。
【請求項５】
前記ユーザ特性マッピング値に従って、前記マッチさせるプロダクトのサービスシナリオを選択する前記ステップは：
低いユーザ特性マッピング値を有するシナリオを前記マッチさせるプロダクトの前記サービスシナリオとして選択するステップ；又は、
高いユーザ特性マッピング値を有するシナリオを前記マッチさせるプロダクトの前記サービスシナリオとして選択するステップ；を備える、
請求項１に記載のサービスシナリオマッチング方法。
【請求項６】
マッチさせるプロダクトのマッチング特性を取得する前記ステップは、機械学習法を用いることによって、前記マッチさせるプロダクトの前記マッチング特性を取得するステップを備える、
請求項１に記載のサービスシナリオマッチング方法。
【請求項７】
各シナリオのユーザ特性マッピング値を計算する前記ステップは：
機械学習法を用いることによって、第１のマッピング方法を得るステップと；
前記第１のマッピング方法を用いることによって、各シナリオの前記ユーザ特性マッピング値を計算するステップと；を備える、
請求項１に記載のサービスシナリオマッチング方法。
【請求項８】
前記機械学習法は、ロジスティック回帰アルゴリズム、ＧＢＤＴアルゴリズム、決定木アルゴリズム、及びディープラーニングアルゴリズムのうちの少なくとも１つを備える、
請求項６又は７に記載のサービスシナリオマッチング方法。
【請求項９】
サービスシナリオマッチングシステムであって：
異なるシナリオに対応するアクセスユーザのユーザ特性及びマッチさせるプロダクトのマッチング特性を取得するよう構成された取得ユニットと；
前記マッチさせるプロダクトの前記マッチング特性に基づいて、各シナリオのユーザ特性マッピング値を計算するよう構成された計算ユニットと；
前記ユーザ特性マッピング値に従って、前記マッチさせるプロダクトのサービスシナリオを選択するよう構成された選択ユニットと；を備える、
サービスシナリオマッチングシステム。
【請求項１０】
前記取得ユニットは、アクセス記録及び／又は登録情報から、異なるシナリオに対応する前記アクセスユーザの前記ユーザ特性を取得するよう構成された第１の取得ユニットを備える、
請求項９に記載のサービスシナリオマッチングシステム。
【請求項１１】
前記取得ユニットは、所定の選択に従って、前記マッチさせるプロダクトの前記マッチング特性を決定するよう構成された第２の取得ユニットを備える、
請求項９に記載のサービスシナリオマッチングシステム。
【請求項１２】
前記計算ユニットは：
同じ基準に従って、異なるシナリオに対応する前記アクセスユーザの前記ユーザ特性の中で、前記マッチさせるプロダクトの前記マッチング特性に対応する第１のユーザ特性を定量化するよう構成された定量化ユニットと；
同じマッピングルールに基づいて、異なるシナリオの前記第１のユーザ特性の前記ユーザ特性マッピング値を得るよう構成されたマッピングユニットと；を備える、
請求項９に記載のサービスシナリオマッチングシステム。
【請求項１３】
前記選択ユニットは、低いユーザ特性マッピング値を有するシナリオを前記マッチさせるプロダクトの前記サービスシナリオとして選択する、又は、高いユーザ特性マッピング値を有するシナリオを前記マッチさせるプロダクトの前記サービスシナリオとして選択する、
請求項９に記載のサービスシナリオマッチングシステム。
【請求項１４】
前記取得ユニットによってマッチさせるプロダクトのマッチング特性を取得することは、機械学習法を用いることによって、前記マッチさせるプロダクトの前記マッチング特性を取得することを含む、
請求項９に記載のサービスシナリオマッチングシステム。
【請求項１５】
前記マッピングユニットは：
機械学習法を用いることによって、第１のマッピング方法を得るよう構成されたマッピング方法獲得ユニットと；
前記第１のマッピング方法を用いることによって、各シナリオの前記ユーザ特性マッピング値を計算するよう構成された特性値計算ユニットと；を備える、
請求項１２に記載のサービスシナリオマッチングシステム。
【手続補正書】
【提出日】平成31年4月3日(2019.4.3)
【手続補正１】
【補正対象書類名】特許請求の範囲
【補正対象項目名】全文
【補正方法】変更
【補正の内容】
【特許請求の範囲】
【請求項１】
少なくとも１つのダイオードと、刺激電極と、対向電極と、抵抗体とを有する少なくとも１つの画素を含む感光性インプラントであって、
前記抵抗体の抵抗が、抵抗、前記刺激電極のサイズ、及び前記ダイオードのサイズの所定の関係にしたがって選択され、
前記抵抗体の抵抗が、下記の式（１）で決定されることを特徴とする感光性インプラント。
【数１】
2018514338.tif 000001
ただし、式中、Ｒはシャント抵抗体の抵抗であり、Ｄはダイオードサイズ、Ｅは電極サイズ、ｍは指数である。
【請求項２】
前記刺激電極のサイズと前記ダイオードのサイズが、それぞれ前記刺激電極と前記ダイオードの面積として表される請求項１に記載の感光性インプラント。
【請求項３】
前記ダイオードのサイズが、有効ダイオードサイズであり、前記有効ダイオードサイズは、前記画素における全ダイオードサイズと、前記ダイオードの数との比によって表される請求項１から２のいずれかに記載の感光性インプラント。
【請求項４】
前記抵抗体の抵抗が、次式によって決定される請求項１から２のいずれかに記載の感光性インプラント。
【数２】
2018514338.tif 000002
（式中、
Ｒは、前記抵抗体の抵抗であり、
Ｅａｒｅａは、前記電極の面積であり、
Ｄａｒｅａは、前記有効ダイオードの面積であり、
ｎは、指数であり、
ａは、定数である。）
【請求項５】
所定の感光性ダイオードの面積について、前記定数ａが、区間［３・１０５；２・１０６］を満たすように、前記電極の面積が選択される請求項４に記載の感光性インプラント。
【請求項６】
所定の感光性ダイオードの面積について、前記指数ｎが、区間［−１，５；−２］を満たすように、前記電極の面積が選択される請求項４から５のいずれかに記載の感光性インプラント。
【請求項７】
前記指数ｎが、ｎ＝−１，８１を満たし、前記定数ａが、区間［３・１０５；２・１０６］から選択され、又は、前記定数ａが、ａ＝１０６を満たし、前記指数ｎが、区間［−１，５；−２］から選択される請求項４から６のいずれかに記載の感光性インプラント。
【請求項８】
前記対向電極が、前記刺激電極の周り及び／又は前記少なくとも１つのダイオードの周りに配置される請求項１から７のいずれかに記載の感光性インプラント。
【請求項９】
画素アレイ状に配置される複数の画素を含む請求項１から８のいずれかに記載の感光性インプラント。
【請求項１０】
前記少なくとも１つの画素が、実質的に六角形状を有する、又は、前記刺激電極が、実質的に円形状を有する請求項１から９のいずれかに記載の感光性インプラント。
【請求項１１】
網膜下インプラントである請求項１から１０のいずれかに記載の感光性インプラント。
【請求項１２】
請求項１から１１のいずれかに記載の感光性インプラントを製造するための方法であって、
−基板を提供する工程と、
−前記基板の上に、少なくとも、電極と、ダイオードと、抵抗体とを含む画素構造体を設ける工程とを含み、
前記抵抗体の抵抗が、抵抗、前記刺激電極のサイズ、及び前記ダイオードのサイズの所定の関係にしたがって選択されることを特徴とする方法。
【請求項１３】
前記刺激電極のサイズと前記ダイオードのサイズが、それぞれ前記刺激電極と前記ダイオードの面積として表され、前記ダイオードのサイズが、有効ダイオードサイズであり、前記有効ダイオードサイズは、前記画素における全ダイオードサイズ、好ましくは全ダイオード面積と、前記ダイオードの数との比によって表される請求項１２に記載の方法。
【請求項１４】
前記抵抗体の抵抗が、次式によって決定される請求項１２から１３のいずれかに記載の方法。
【数３】
2018514338.tif 000003
（式中、
Ｒは、前記抵抗体の抵抗であり、
Ｅａｒｅａは、前記電極の面積であり、
Ｄａｒｅａは、前記有効ダイオードの面積であり、
ｎは、指数であり、
ａは、定数である。）
【請求項１５】
所定の感光性ダイオードの面積について、前記定数ａが、区間［３・１０５；２・１０６］を満たすように、前記電極の面積が選択される、
及び／又は、
所定の感光性ダイオードの面積について、前記指数ｎが、区間［−１，５；−２］を満たすように、前記電極の面積が選択される、
請求項１４に記載の方法。